(57)【要約】【課題】  視認者の視認範囲の対象を視認者が直接に視認するよりも、対象からの所定のメッセージをよりよく把握できるようにする。【解決手段】  視認者の視認範囲の対象からの光をカラー撮像して得た映像信号を出力する撮像部と、その映像信号に対し少なくとも色変換を含む画像変換を行う変換部と、その変換された映像信号を入力し、該入力された映像信号に基づいた画像を視認者に対して表示する表示部と、その画像変換を行うためのソフトウェアを記録するメモリ部とを有し、変換部がその記録されたソフトウェアに応じて画像変換を行う。【選択図】      図１
2005216278.tif 000002
【特許請求の範囲】
【請求項１】
視認者の視認範囲の対象からの光をカラー撮像して得た映像信号を出力する撮像部と、
前記映像信号に対し少なくとも色変換を含む画像変換を行う変換部と、
前記変換された映像信号を入力し、該入力された映像信号に基づいた画像を前記視認者に対して表示する表示部と、
前記画像変換を行うためのソフトウェアを記録するメモリ部とを有し、
前記変換部は、前記記録されたソフトウェアに応じて画像変換を行うことを特徴とする画像変換装置。
【請求項２】
視認者の視認範囲の対象からの光をカラー撮像して得た映像信号を出力する撮像部と、
前記映像信号に対し少なくとも色変換を含む画像変換を行う変換部と、
前記変換された映像信号を入力し、該入力された映像信号に基づいた画像を前記視認者に対して表示する表示部と、
前記画像変換を行うためのソフトウェアを受信する受信部と、
前記受信されたソフトウェアを記録するメモリ部とを有し、
前記変換部は、前記記録されたソフトウェアに応じて画像変換を行うことを特徴とする画像変換装置。
【請求項３】
請求項１または請求項２に記載の画像変換装置において、
前記変換部は、前記映像信号の色相および明度および彩度および色度のうちの少なくとも一つを変換するとした色変換を行うことを特徴とする画像変換装置。
【請求項４】
請求項１または請求項２または請求項３に記載の画像変換装置において、
前記受信部が、前記画像変換に関する各機能に応じた前記ソフトウェアのモジュールごとに受信することを特徴とする画像変換装置。
【請求項５】
視認者の視認範囲の対象からの光をカラー撮像して得た映像信号を出力する撮像部と、
前記映像信号に対し少なくとも色変換を含む画像変換を行う変換部と、
前記変換された映像信号を入力し、該入力された映像信号に基づいた画像を前記視認者に対して表示する表示部とを有し、
前記変換部が複数色チャンネル成分からなる前記映像信号に対して、前記複数色チャンネル成分のうちいずれか１成分だけを残した映像信号とする画像変換を行い、
該表示部が前記変換された映像信号に基づいた画像を表示することを特徴とする画像変換装置。
【請求項６】
視認者の視認範囲の対象からの光をカラー撮像して得た映像信号を出力する撮像部と、
前記映像信号に対し少なくとも色変換を含む画像変換を行う変換部と、
前記変換された映像信号を入力し、該入力された映像信号に基づいた画像を前記視認者に対して表示する表示部とを有し、
前記変換部が複数色チャンネル成分からなる前記映像信号に対して、前記複数色チャンネル成分のうちいずれか１成分以外を残した映像信号とする画像変換を行い、
該表示部が前記変換された映像信号に基づいた画像を表示することを特徴とする画像変換装置。
【請求項７】
視認者の視認範囲の対象からの光をカラー撮像して得た映像信号を出力する撮像部と、
前記映像信号に対し少なくとも色変換を含む画像変換を行う変換部と、
前記変換された映像信号を入力し、該入力された映像信号に基づいた画像を前記視認者に対して表示する表示部とを有し、
前記変換部が複数色チャンネル成分からなる前記映像信号に対して、前記複数色チャンネル成分のうちいずれか１成分における信号レベルとその他の成分における信号レベルとのレベル比が所定値以上の場合に、そのレベル比以上である画像部分が、白または黒で表示されるように画像変換を行い、
該表示部が前記変換された映像信号に基づいた画像をそれぞれ表示することを特徴とする画像変換装置。
【請求項８】
請求項７に記載の画像変換装置において、
前記変換部が複数色チャンネル成分からなる前記映像信号に対して、前記複数色チャンネル成分のうちいずれか１成分における信号レベルとその他の成分における信号レベルとのレベル比が所定値以上の場合に、そのレベル比以上である画像部分が、白または黒で表示されるようにした画像変換を、複数の色チャンネル成分について行い、
該表示部が前記変換された映像信号に基づいた画像をそれぞれ表示することを特徴とする画像変換装置。
【請求項９】
視認者の視認範囲の対象からの光をカラー撮像して得た映像信号を出力する撮像部と、
前記映像信号を入力し、該入力された映像信号に基づいた画像を前記視認者に対して表示する表示部と、
前記画像の所定範囲を指定する指定手段と、
前記指定された範囲の色を認識する認識手段と、
前記認識の結果に応じた色の名前を出力する出力手段とを有することを特徴とする画像変換装置。
【請求項１０】
視認者の視認範囲の対象からの光をカラー撮像する撮像部からの映像信号をネットワークを介し受信するための受信部と、
前記受信部で受信された映像信号の色相および明度および彩度および色度のうちの少なくとも一つを変換した映像信号を生成するための変換部と、
前記変換された映像信号に基づいた画像を表示するようにした表示部へ該変換された映像信号をネットワークを介し送信するための送信部とを有することを特徴とする画像変換装置。
【発明の詳細な説明】
【技術分野】
【０００１】  本発明は、色変換を含む画像変換がなされた映像信号に基づいた画像を視認者に対して表示し、特に、その視認者の色覚特性に応じて表示された画像が視認されることによって、その表示からの所定のメッセージを把握できるようにするための、画像変換装置に関するものである。
【背景技術】
【０００２】  従来の画像変換装置に関する技術として特許公開公報に記載されたものがあり、例えば、特開２００３−５８８７５号公報（特許文献１）、特開２００１−１５４６５５号公報（特許文献２）、特開２００２−５５６７１号公報（特許文献３）に記載のものがある。
これらのうち、特許文献１、特許文献２においては、コンピュータによって読み取り可能な記録手段に記録された画像データや文字情報を色変換して表示するとしたものが記載されている。それら画像データや文字情報は、所定の表示手段において、色覚健常者にとって斬新であったり確認可能であったりするような表示色や色配列として表示されるとしたものが多いが、そのままでは色覚異常者が確認し得ない表示になる場合があり、それら記録されたデータや情報の色変換を行うことで色覚異常者が確認可能となるようにしている。
また、特許文献３においては、例えばネットワーク等を経由するなどして入力された表示データについて同様に色変換を行うことが記載されている。なお、この特許公報の００５２段落には、カメラ６について記載されているが、このカメラ６は照度を測定するためのものとなっており、このカメラ６により撮像して得られた映像信号について色変換をおこなうことに関しては記載がない。
【特許文献１】特開２００３−５８８７５号公報
【特許文献２】特開２００１−１５４６５５号公報
【特許文献３】特開２００２−５５６７１号公報
【発明の開示】
【発明が解決しようとする課題】
【０００３】  上述の従来技術では、所定の表示手段において表示するための画像データや文字情報について、その表示手段を視認する視認者の色覚に応じた色変換や、その表示手段の視認される表示画面表面における外光の照度に応じた色変換を行うこととしている。
しかしながら、視認者が様々な場所においてその視認者の視認範囲にある対象、例えば、掲示板や洗面所入り口等の男女別サインや操作盤の表示灯などについて、それらの有する意味（メッセージ）を判断するためには、その対象の置かれた周囲状況およびその状況の変化、はたまた視認者の体調等によってその視認者の色覚特性が変化することによっては、上述の従来技術だけではそのメッセージを把握できない場合がある。
本発明の目的は、視認者の視認範囲の対象からの光をカラー撮像し、その撮像された映像信号に少なくとも色変換を含む画像変換を行ない、その変換された映像信号に基づいた画像を視認者に対して表示し、その視認者の色覚特性に応じて表示された画像を見ることによって、視認者が対象を直接に視認するよりも効率よく対象からの所定のメッセージを把握できるようにすることである。
【課題を解決するための手段】
【０００４】  本発明は上述の課題を解決するために、視認者の視認範囲の対象からの光をカラー撮像して得た映像信号を出力する撮像部と、その映像信号に対し少なくとも色変換を含む画像変換を行う変換部と、その変換された映像信号を入力し、該入力された映像信号に基づいた画像を視認者に対して表示する表示部と、その画像変換を行うためのソフトウェアを記録するメモリ部とを有し、変換部は、その記録されたソフトウェアに応じて画像変換を行うことを特徴とするものである。
【発明の効果】
【０００５】  本発明の画像変換装置によれば、視認者の視認範囲の対象からの光をカラー撮像して得た映像信号に少なくとも色変換を含む画像変換を行ない、その変換された映像信号に基づいた画像を視認者に対して表示することで、様々な周囲状況や視認者の体調等にも即応して、その視認者の色覚特性に応じたより確認性を向上させた表示画像を得ることができ、視認者によりその表示から所定のメッセージをより容易に把握できるようにすることが可能となる。
【発明を実施するための最良の形態】
【０００６】  以下、本発明による画像変換装置の実施の形態について、図面を用いて説明する。
図１において、１は、視認者（図示していない）の視認範囲にある、その視認者が視認するための対象である。２は、対象１からの光をカラー撮像して得た映像信号を出力する撮像部である。３は、撮像部２から出力された映像信号に対し少なくとも色変換を含む画像変換を行う変換部である。なお、変換部３は、色変換以外の画像変換として、細線化処理や太線化処理等の画像変換を行う。４は、変換部３で変換された映像信号を入力し、該入力された映像信号に基づいた画像を視認者に対して表示する表示部である。５は、画像変換を行うためのソフトウェアを記録するメモリ部である。【０００７】  本発明の画像変換装置の一実施の形態は、上述の撮像部２、変換部３、表示部４、およびメモリ部５を有するものである。この形態の画像変換装置では、メモリ部５に記録された画像変換用のソフトウェアが所定の機能毎のモジュールに分けられて記録されており、、変換部３で行われる画像変換の種類に応じて、モジュール毎、あるいは、複数モジュールの組合せ毎にメモリ部５から変換部３へ読み込まれるようにされ、その画像変換が実現されるようになっている。
なお、表示部４は、変換前の映像信号が入力され、それに基づいた画像をさらに表示するものであってもよい。
本発明によれば、視認者が視認すべき対象が撮像され、画像変換されて表示されることで、視認者がその場で実際に対象を見た場合と、その表示され画像を見た場合とでの色認識の差をすぐに比較することができ、そのため、その画像変換が対象からのイメージを把握するために適切であったか否か、さらに、より的確にそのイメージを把握するために画像変換の種類や組合せや順番等を変更すべきか否かを、視認者が即座に検討することができる。【０００８】  本発明の画像変換装置の他の実施の形態は、上述の撮像部２、変換部３、表示部４、およびメモリ部５と、さらに、受信部６とを有するものである。この形態の画像変換装置では、該装置内のメモリ部５に記録されたソフトウェアによっては、視認者がより的確に対象のイメージを把握することができない恐れがある場合に、図示していない外部の記録装置に記録されたモジュールであって、より的確に対象のイメージを把握できると思われる画像変換を実現するためのモジュールを、その記録装置から受信部６で受信し、その受信されたモジュールをメモリ部５に記録できるようにしている。そして、その受信されたモジュールによって実現可能な画像変換を変換部３で行えるようにする。
そうすることによって、視認者がこの画像変換装置等（同様な構成を有する携帯端末装置、例えば、カメラ機能付き携帯電話等を含む）を携帯し、対象からの光を見ただけではそのメッセージを把握できず、さらに、画像変換装置等にもともと画像変換機能がなかったり、所望の画像変換機能がなかったりした場合でも、上述の受信が可能であれば、視認者が場所を移動することなく、より的確にそのイメージを把握するための画像変換を素早く行うことができる。【０００９】  なお、上述の変換部３では、色変換を行う場合に、映像信号の色相および明度および彩度および色度のうちの少なくとも一つを変換するとした色変換を行うとしてよく、そうすることによって多様な色覚特性に対してより広く対応した画像変換を実現することができる。【００１０】  また、受信部６では、画像変換に関する各機能に応じたソフトウェアのモジュールごとに受信するとしてよく、それによって受信効率を向上し、また、ソフトウェアのダウンロードに対する費用を各機能毎に設定することができる。【００１１】  さらに、変換部３では、撮像部２で撮像された映像信号が複数色チャンネル成分からなる映像信号であった場合、あるいは、撮像された映像信号を複数色チャンネル成分からなる映像信号に変換した場合において、その複数色チャンネル成分のうちいずれか１成分だけを残した映像信号とする画像変換を行うとしてよい。例えば、映像信号を構成する３つの成分である赤色チャンネル成分、青色チャンネル成分、緑色チャンネル成分のうちの赤色チャンネル成分だけの映像信号に変換する場合は、その赤色チャンネル成分の値が青色チャンネルおよび緑色チャンネルにそれぞれ置き換わるようにして、３成分とも同じ信号にする。そうすることで、赤い対象を撮像した場合にはその対象の表示は輝度の高くなった表示になり、そこが赤色の成分が多いことが分かる。
そして、同様に各色チャンネルについて同様な変換および表示を行ってもよく、各色チャンネル成分だけの表示を比較することができるようにする。そうすることで、表示された対象について各表示の輝度レベルを視認し、または、それらを各成分どうしで比較するように視認することで、対象の色を推量することができるようになる。【００１２】  さらに、変換部３では、上述と同様に撮像部２で撮像された映像信号が複数色チャンネル成分からなる映像信号であった場合、あるいは、撮像された映像信号を複数色チャンネル成分からなる映像信号に変換した場合において、その複数色チャンネル成分のうちいずれか１成分以外を残した映像信号とする画像変換を行うとしてよい。例えば、赤色チャンネル成分、青色チャンネル成分、緑色チャンネル成分のうちの赤色チャンネル成分以外の青色チャンネル成分と緑色チャンネル成分とを残した映像信号に変換する場合は、３色チャンネルそれぞれに青色チャンネルおよび緑色チャンネルの信号レベルを足して２で割ったレベル値の信号が置き換わるようにして、３成分とも同じ信号にする。そうすることで、赤い対象を撮像した場合にはその対象の表示は相対的に輝度が低くなり、青色か緑色の対象の表示は相対的に輝度の高くなった表示になり、そのコントラストの差が発生したことを確認することで、が赤色の成分が多いことが分かる。
そして、同様に各色チャンネルについて同様な変換および表示を行ってもよく、各色チャンネル成分以外の色成分の組合せを残した場合の表示を比較することができるようにする。そうすることで、表示された対象について各表示の輝度レベルを視認し、または、それらを各成分どうしで比較するように視認することで、対象の色を推量することができるようになる。【００１３】  さらに、変換部３では、上述と同様に撮像部２で撮像された映像信号が複数色チャンネル成分からなる映像信号であった場合、あるいは、撮像された映像信号を複数色チャンネル成分からなる映像信号に変換した場合において、その複数色チャンネル成分のうちいずれか１成分の信号レベルとその他の成分の信号レベルとのレベル比が所定値以上であったならば、そのレベル比以上である画像部分が、白または黒で表示されるように画像変換を行うとしてよい。例えば、赤色チャンネル成分、青色チャンネル成分、緑色チャンネル成分のうちの赤色チャンネル成分の信号レベルについて、青色チャンネル成分の信号レベルとの比および緑色チャンネル成分の信号レベルとの比の２つの比が、それぞれ所定値以上である場合に、その画像部分の３成分の信号レベルがすべて白となるような高輝度の信号レベルに置き換えられるか、あるいは黒となるような低輝度の信号レベルに置き換えられるようにする。そうすることで、赤い対象を撮像した場合にはその対象の表示が黒または白に変化するようにその変化量が周囲と際だって変化するようにできて目立たせることができる。
そして、同様に各色チャンネルについて同様な変換および表示を行ってもよい。また、複数の色チャンネルについて独立に同様な変換を行い、それら変換による表示を組み合わせて表示するようにしてもよい。【００１４】  また、図示していないが、表示部４に表示された画像、特に、変換前の映像信号に基づいた画像の所定範囲を指定する指定手段と、指定された範囲の色を認識する認識手段と、その認識の結果に応じた色の名前を出力する出力手段とを設け、その出力手段としては、例えば、スピーカから音声出力したり、表示部４に色名をテキスト表示出力したりしてもよい。そうすることで、視認者が色覚異常により対象からの光についての色の名前が判断できない場合であっても、その認識結果から視認者がその色名を知ることができる。【００１５】  さらに、本発明の画像変換装置の他の実施の形態について、図２を用いて説明する。この図において、１は、視認者（図示していない）の視認範囲にある、その視認者が視認するための対象である。７は，対象１からの光をカラー撮像して得た映像信号を出力する撮像部である。８は、映像信号を入力し、該入力された映像信号に基づいた画像を視認者に対して表示する表示部である。９および１０は送信部と受信部とからなる送受信部であり、送受信部９と送受信部１０の間で信号を送受信する。１１は、映像信号に対し少なくとも色変換を含む画像変換を行う変換部である。
ここで、本発明の画像変換装置の一実施の形態は、上述の送受信部１０と変換部１１を有するものである。この形態の画像変換装置では、撮像部７および表示部８および送受信部９を有する携帯端末で撮像され送受信部９から送信された映像信号を、送受信部１０で受信する。そして、受信された映像信号の色相および明度および彩度および色度のうちの少なくとも一つを変換した映像信号を、変換部１１で生成する。さらに、変換された映像信号を送受信部１０から送信する。上述の携帯端末では、その変換された映像信号を送受信部９で受信し、受信された映像信号に基づいた画像を表示部８で表示するものである。
従って、上述の図１において説明した構成とは異なり、この画像変換装置と、撮像部および表示部を有する携帯端末とは、離して配置することができるようになっている。そうすることによって、変換部１１等の構成によってはその画像変換装置の大きさや重さが視認者の携帯に困難をきたすものであったとしても、視認者は携帯端末側だけを携帯すればよく、その携帯端末を様々な場所に携帯することができることでは、その撮像の対象をより増やすことができる。
【図面の簡単な説明】
【００１６】
【図１】  本発明の画像変換装置の一構成例を説明するための図。
【図２】  本発明の画像変換装置の他の構成例を説明するための図。
【符号の説明】
【００１７】  １：対象、  ２，７：撮像部、  ３，１１：変換部、  ４，８：表示部、  ５：メモリ部、  ６：受信部、  ９，１０：送受信部。
【図１】
2005216278.tif 000003
【図２】
2005216278.tif 000004